(57)【特許請求の範囲】
【請求項１】
供給される映像信号を圧縮符号化してランダムアクセス可能な記録媒体に記録するのと同時に、前記記録媒体に記録された前記映像信号を遅延して再生する記録再生手段と、
視聴者からの操作に基づき前記記録再生手段による前記映像信号の記録の一時停止を指示する記録一時停止信号を生成すると共に、その後、前記記録再生手段による前記映像信号の記録の一時停止の解除を指示する一時停止解除信号を生成する操作信号生成手段と、
前記記録再生手段が前記映像信号を記録および遅延して再生している際、前記記録一時停止信号が生成された場合、前記記録再生手段に対し前記映像信号の記録および遅延しての再生を継続させ、その後、前記一時停止解除信号が生成された場合、前記記録再生手段に対し前記記録媒体に記録されている前記映像信号より、前記記録一時停止信号が生成された時に遅延して再生されていた前記映像信号から前記一時停止解除信号が生成された時に遅延して再生されていた前記映像信号までを消去させるように制御する制御手段と、
を有することを特徴とする映像信号記録再生装置。
【請求項２】
前記操作信号生成手段は、前記視聴者による一時停止操作に基づき前記記録一時停止信号を生成し、前記視聴者による一時停止操作の後、所定時間経過したときに前記一時停止解除信号を生成する、ことを特徴とする請求項１記載の映像信号記録再生装置。
【請求項３】
さらに、前記記録再生手段によって記録および遅延しての再生が行われている前記映像信号を出力するモニタが接続されている、ことを特徴とする請求項１または請求項２のいずれか一の請求項に記載の映像信号記録再生装置。
【請求項４】
供給される映像信号を圧縮符号化してランダムアクセス可能な記録媒体に記録するのと同時に、前記記録媒体に記録された前記映像信号を遅延して再生する映像信号の記録再生方法であって、
前記映像信号を記録および遅延して再生している際、視聴者からの操作に基づき前記映像信号の記録の一時停止を指示する記録一時停止信号が生成された場合、前記映像信号の記録および遅延しての再生を継続させ、その後、視聴者からの操作に基づき前記映像信号の記録の一時停止の解除を指示する一時停止解除信号が生成された場合、前記記録媒体に記録されている前記映像信号より、前記記録一時停止信号が生成された時に遅延して再生されていた前記映像信号から前記一時停止解除信号が生成された時に遅延して再生されていた前記映像信号までを消去させる、
ことを特徴とする映像信号の記録再生方法。
【請求項５】
視聴者による一時停止操作に基づき前記記録一時停止信号を生成し、前記視聴者による一時停止操作の後、所定時間経過したときに前記一時停止解除信号を生成する、ことを特徴とする請求項５記載の映像信号の記録再生方法。
【発明の詳細な説明】
【０００１】
【発明の属する技術分野】
本発明は、ＴＶ放送を受信して得られる映像、及び音声信号を圧縮符号化された信号としてハードディスクなどの記録媒体に記録し、その記録した直後の映像信号を読み出すようになした同時記録再生機能を有すると共に、その記録機能は一時停止機能を併せ持つようになされた映像信号の記録再生方法、及び映像信号記録再生装置に関する。
【０００２】
【従来の技術】
記録媒体としてハードディスクなどのランダムアクセス可能な記録媒体を用いた映像信号記録再生装置は、記録、及び再生のためのアクセス時間が短いため、ＴＶ放送の複数の番組を同時に記録できる、また映像信号の記録と再生を同時に行うことが出来るなどの機能を有している。
【０００３】
そして、この様な同時記録再生機能を有する映像信号記録再生装置は、放送中の番組を現在から過去に連続的にタイムシフトしながら視聴できるキャッシュ再生、及び追っかけ再生などの便利な機能を有しており、今後、従来のタイムシフトマシンとして利用されているＶＴＲと共に家庭に導入されていくものと考えられている。
【０００４】
そして、その従来のＶＴＲにおける記録信号のモニタは、ＶＴＲに供給される記録用の信号を直接モニタＴＶに供給して視聴するようになされており、そのモニタ映像は記録途中にある信号のモニタはできるが、実際にどのように記録媒体に記録されているか、そしてその記録映像の画質劣化、又は何らかの原因により記録がなされない状態であるかなどを知ることはできない。
【０００５】
それに対し、同時記録再生機能を有する記録再生装置では、記録中の映像をリアルタイムで再生しながら記録を行えるため、記録時の不具合に関してもその時に知ることができ、記録ミスを最低限におさえることができるなどの特徴を有している。
【０００６】
さらに、記録中に再度見たい映像、または見逃した映像があるときは、簡易な操作で過去の映像を見ることができるなど、ハードディスクを用いて行う記録再生の機能は視聴者にとって便利な機能であり、そのような機能を搭載したＰＶＲ（personal video recorder）も開発されている。
【０００７】
【発明が解決しようとする課題】
ところで、従来のＶＴＲで供給される映像信号をビデオテープに記録するに際し、記録を一時中断するときはビデオテープの走行を停止し、記録を再開するときに再度テープを走行させるような機能を有している。
【０００８】
このとき、モニタＴＶに供給される映像信号は、ＶＴＲに供給される映像信号をそのままモニタＴＶに供給されるようになされており、録画中、及び一時停止中においても供給される映像は連続して表示されている。
【０００９】
そして、従来のＶＴＲが有するこのような記録、一時停止の操作を、一時停止動作中に記録を停止させるような同時記録再生機能の記録再生装置で行うときは、一時停止の操作がなされたときに記録機能が停止されるため、記録再生装置に供給される信号のモニタ信号も一時停止状態となってしまうため、一時停止操作の解除操作などを行う上で好ましくない。
【００１０】
そこで、同時記録再生機能を用いて記録動作を行う場合であっても、その記録の一時停止、およびその解除などの操作を、供給される映像信号のモニタ画面を視聴しつつ、記録媒体上では所望の映像信号を記録できる映像信号の記録再生装置を実現する必要がある。
【００１１】
そこで本発明は、その同時記録再生機能のような便利な機能を有する映像信号記録再生装置において、リアルタイムモニタ用の映像信号出力が記録時の一時停止操作によってもポーズ状態となることがなく記録操作ができ、且つ記録中も過去に記録した映像に向かって連続的に再生が可能であるなどの便利な機能を搭載した映像信号の記録再生方法、及びその機能を備えた映像信号記録再生装置の構成を提供しようとするものである。
【００１２】
【課題を解決するための手段】
上記課題を解決するために、本発明の映像信号記録再生装置は、供給される映像信号を圧縮符号化してランダムアクセス可能な記録媒体に記録するのと同時に、前記記録媒体に記録された前記映像信号を遅延して再生する記録再生手段と、視聴者からの操作に基づき前記記録再生手段による前記映像信号の記録の一時停止を指示する記録一時停止信号を生成すると共に、その後、前記記録再生手段による前記映像信号の記録の一時停止の解除を指示する一時停止解除信号を生成する操作信号生成手段と、前記記録再生手段が前記映像信号を記録および遅延して再生している際、前記記録一時停止信号が生成された場合、前記記録再生手段に対し前記映像信号の記録および遅延しての再生を継続させ、その後、前記一時停止解除信号が生成された場合、前記記録再生手段に対し前記記録媒体に記録されている前記映像信号より、前記記録一時停止信号が生成された時に遅延して再生されていた前記映像信号から前記一時停止解除信号が生成された時に遅延して再生されていた前記映像信号までを消去させるように制御する制御手段と、を有するものである。
【００１３】
また、前記操作信号生成手段は、前記視聴者による一時停止操作に基づき前記記録一時停止信号を生成し、前記視聴者による一時停止操作の後、所定時間経過したときに前記一時停止解除信号を生成する、ものである。
【００１５】
また、さらに、前記記録再生部によって記録および遅延しての再生が行われている前記映像信号を出力するモニタが接続されている、ものである。
【００１６】
また、本発明の映像信号の記録再生方法は、供給される映像信号を圧縮符号化してランダムアクセス可能な記録媒体に記録するのと同時に、前記記録媒体に記録された前記映像信号を遅延して再生する映像信号の記録再生方法であって、前記映像信号を記録および遅延して再生している際、視聴者からの操作に基づき前記映像信号の記録の一時停止を指示する記録一時停止信号が生成された場合、前記映像信号の記録および遅延しての再生を継続させ、その後、視聴者からの操作に基づき前記映像信号の記録の一時停止の解除を指示する一時停止解除信号が生成された場合、前記記録媒体に記録されている前記映像信号より、前記記録一時停止信号が生成された時に遅延して再生されていた前記映像信号から前記一時停止解除信号が生成された時に遅延して再生されていた前記映像信号までを消去させる、ものである。
【００１７】
特に、視聴者による一時停止操作に基づき前記記録一時停止信号を生成し、前記視聴者による一時停止操作の後、所定時間経過したときに前記一時停止解除信号を生成する、ものである。
【００１９】
【発明の実施の形態】
以下、本発明の映像信号の記録再生方法、及び映像信号記録再生装置の実施の形態につき、好ましい実施例により説明する。
図１に、ハードディスクに映像信号を記録し、再生する映像信号記録再生装置の概略ブロック図を示し、最初にその構成と通常記録時の動作について概説し、次に記録の一時停止動作について述べる。
【００２０】
同図に示す映像信号記録再生装置４０は記録部５０、媒体部６０、及び再生部７０よりなり、再生部７０にはモニタＴＶ９０が有線により接続され、そして記録部５０、及び再生部７０に対してなされる操作はリモコン９５により、視聴者によりなされる操作内容が赤外線により再生部７０に向けて伝送されるようになっている。
【００２１】
まず、記録部５０はＴＶチューナ５１、Ａ／Ｄ変換器５２、ＭＰＥＧ−２エンコーダ５３、ストリームアナライザ５４、ＲＥＣ−ＦＩＦＯ５５、ヘッダ検出器５６、マイコン５７、及び一時記憶メモリ５８より構成される。
【００２２】
そして、媒体部６０はハードディスク記録再生器６１、ハードディスク６３、及び書き込み読み出し制御器６５より、また再生部７０はバッファメモリ７１、ＭＰＥＧ−２デコーダ７２、ＯＳＤ７３、Ｄ／Ａ変換器７４、マイコン７６、一時記憶メモリ７８、及びリモコンインタフェース７９より構成される。
【００２３】
次に、この様に構成される映像信号記録再生装置４０の動作について概説する。
まず、ＴＶチューナ５１はアンテナより入来する放送電波の内、リモコン９５などにより設定される受信チャンネルの映像信号が受信され、受信して得られるビデオ信号はＡ／Ｄ変換器５２に供給されてデジタル信号に変換されてＭＰＥＧ−２エンコーダ５３に供給される。
【００２４】
そのＭＰＥＧ−２エンコーダ５３では、供給された信号はＩＳＯ／ＩＥＣ（International Organization for Standardization / International Electrotechnical Commission）で定められたＭＰＥＧ−２（moving picture experts group - 2）標準規格に従って圧縮符号化され、その圧縮符号化された信号はストリームアナライザ５４、及び後述のヘッダ検出器５６に供給される。
【００２５】
そのストリームアナライザ５４では、圧縮符号化された信号の形式が解析され、解析して得られる符号化情報信号、及び供給された圧縮符号化信号はＲＥＣ−ＦＩＦＯ５５に供給される。
【００２６】
ＲＥＣ−ＦＩＦＯ５５は記録（ＲＥＣ：recording）用信号のＦＩＦＯ（first in first out）動作、即ち入力される信号を一時記憶し、供給された順にその信号を出力する回路で、この回路より供給された信号はハードディスク記録再生器６１に供給される。
【００２７】
そのハードディスク記録再生器６１では、供給された信号をハードディスク６３に記録するためのセクタサイズごとに分割された信号とされ、その分割された信号は書き込み読出し制御器６５に動作制御されるハードディスク６３に供給され、供給された信号はハードディスク６３の図示しない円盤状記録媒体に記録される。
【００２８】
そして、前述のヘッダ検出器５６は、ＭＰＥＧ-２で符号化された信号より、例えばＧＯＰ（Group of Picture）のデータ構成に関わる符号化情報として供給され、その供給された符号化情報はマイコン５７に供給される。
【００２９】
そのマイコン５７では、供給された符号化情報を基にハードディスク６３における情報の記録、及び再生をスムーズに行うためのハードディスク管理情報が生成され、その生成された管理情報は一時記憶メモリ５８に一時記憶され、一時記憶されたハードディスク管理情報は適宜ハードディスク記録再生器６１を介してハードディスク６３に記録される。
【００３０】
このようにして、受信されるチャンネルのビデオ信号、及び上述のハードディスク管理情報はハードディスク６３に記録されるが、その供給されて記録されるビデオ信号が、例えばＶＴＲなどの他の記録メディアに記録された信号であるときで、その信号がアナログ信号の場合は、そのビデオ信号はＡ／Ｄ変換器５２に供給されて、同様の処理がなされてハードディスク６３に記録される。
【００３１】
また、記録されるビデオ信号が、例えばＢＳデジタル放送、デジタル地上放送など、予めＭＰＥＧ−２などの方式により符号化された信号であるときは、その符号化された信号はＭＰＥＧ−２エンコーダを介さずに直接ストリームアナライザ５４、及びヘッダ検出器５６に供給され、同様の信号処理がされてハードディスク６３に記録される。
【００３２】
なお、ＭＰＥＧ−２エンコーダ５３がＧＯＰの構成等に間する符号化情報を供給できる機能を有しているとき、あるいはデジタル放送などでＧＯＰなどの符号化情報が補助情報として供給されるときは、その情報はヘッダ検出器５６に供給され、ヘッダ検出器５６ではその情報を基に符号化情報が生成されてマイコン５７に供給されるようにしてもよい。
【００３３】
この様にしてアナログＴＶ放送、デジタルビデオ放送、又は他の記録媒体に記録された映像信号は圧縮符号化されたビデオ信号とされ、そのビデオ信号は管理情報と共にハードディスク６３に記録される。
【００３４】
次に、この様にして記録されたハードディスク６３の記録信号の再生について述べる。
まず、リモコン９５により再生ボタンが操作されたときは、その操作内容は変調された赤外光線によりリモコンインタフェース７９に伝送され、リモコンキーの操作内容はマイコン７６に供給される。
【００３５】
そのマイコン７６からは、操作内容に応じて生成された制御信号が書き込み読み出し制御回路６５に供給され、書き込み読み出し制御器６５によりハードディスク６３は制御され、ハードディスク６３は指定された個所の信号を読み出し、読み出された信号はハードディスク記録再生器６１に供給される。
【００３６】
そのハードディスク記録再生器６１ではハードディスク６３より読み出された信号の増幅、特性の補正などが行われ、特性などの補正された信号はバッファメモリ７１に供給される。
【００３７】
そこでは、圧縮符号化された信号は一時記憶され、ＭＰＥＧ−２デコーダからの要求に応じて一時記憶された信号は読み出されてＭＰＥＧ−２デコーダ７２に供給される。
【００３８】
ＭＰＥＧ−２デコーダ７２では、供給された信号はＭＰＥＧ−２標準に従い、エンコーダ５３で圧縮符号化されたのと相補的な方法によりデコードされ、デコードされて得られたデジタルビデオ信号は必要に応じて、例えば記録一時停止中である等の情報がＯＳＤ（On Screen Display）７３により表示機に表示される表示信号が多重され、表示信号の多重されたデジタル映像信号はＤ／Ａ変換器７４に供給されてアナログビデオ信号に変換され、変換されたアナログビデオ信号はモニタＴＶ９０に供給されて、表示される。
【００３９】
なお、ここでＯＳＤ７３に多重される表示信号は、ＯＳＤ７３に内蔵される図示しないビデオＲＡＭに蓄えられている信号、ないしは一時記憶メモリ７８に記憶される表示内容情報がマイコン７６を介してＯＳＤ７３に供給され、そのＯＳＤ７３が供給された情報を基に生成した表示信号をＭＰＥＧ−２デコーダ７２から供給される映像信号に多重されて表示されるようになされている。
【００４０】
このようにして、供給されるビデオ信号はＭＰＥＧ−２方式により、フレーム内圧縮、及び動き補償技術が用いられてエンコードされてハードディスク６３に記録され、ハードディスク６３に記録された信号はＭＰＥＧ−２デコーダによりデコードされるが、次にその様にしてなされるＭＰＥＧ−２方式により扱われる画像信号について述べる。
【００４１】
図２に、ＭＰＥＧ−２方式により扱われる画像の種類を示す。
同図において、ビデオ信号を構成するフレーム画像（ピクチャ）にＩ、Ｂ、Ｐの名前がつけられて時間方向に並べられているが、そのＩはフレーム内符号化のなされるＩ（Ｉｎｔｒａ-ｃｏｄｅｄ）フレーム（ピクチャ）である。
【００４２】
そして、Ｐは図の下に矢印で示される様に１方向に予測符号化のされるＰ（Ｐｒｅｄｉｃｔｉｖｅ-ｃｏｄｅｄ）フレームであり、またＢは過去及び未来の両方向から動き予測ベクトルが求められて符号化されるＢ（Ｂｉｄｉｒｅｃｔｉｏｎａｌｌｙ predictive-coded）フレームである。
【００４３】
このように、ＭＰＥＧ−２により符号化された画像は、３種類の性質を持つフレーム画像により構成されるが、例えばＩフレームは１５枚毎に配置されるが、Ｉフレームから、次のＩフレームが開始される手前までの１５枚のフレーム画像の集合をＧＯＰ（Group of Picture）と呼んでいる。
【００４４】
そのＧＯＰが単位として画像が扱われるのは、このようにして符号化される画像の復号は、Ｉフレームを復号して後にＰ、及びＢフレームの復号がなされるため、最初にＩフレームの復号を行う必要がありＧＯＰの先頭にＩフレームが配置されるようになされているからである。
【００４５】
そして、そのＩフレームの復号がなされていないときは、その後のＰフレーム、及びＢフレームの復号が出来なく、入来されるデータの復号は次のＧＯＰのＩフレームのデータを待って復号することとなる。
【００４６】
そのときのＧＯＰの間隔は、Ｎ＝１５で構成されているときは１５フレーム分、即ちＮＴＳＣ（national television system committee color television system）のように毎秒３０フレームであるビデオ信号の場合は０．５秒（１５／３０＝０．５）おきに符号化されているＧＯＰの信号を得てデコードすることとなる。
【００４７】
従って、例えばハードディスク６３に記録されるデータを読み出してすぐに復号するためにはＧＯＰの最初のデータをアクセスして得る必要があり、そのためにＧＯＰの最初の部分を示す管理情報を用い、復号時間の短縮を行なうようにしている。
【００４８】
さて、その管理情報を用いるなど、高速度でハードディスクに符号化された画像信号の記録、再生を行う映像信号記録、再生装置では、信号の記録及び再生の動作を同時に行うことも可能であり、ハードディスク上の離れた位置への記録及び再生を同時に行うことができる。
【００４９】
その同時録再により実現できる機能として、現在記録中の番組を記録しながら過去に記録した部分を同時に再生するいわゆる後追い再生、及び所定の時間分のビットストリーム記録領域に順次映像音声情報を記録し、その領域の最後まで記録したときは、領域中の一番古い記録に対して新しい情報を上書きして記録するようにし、所定時間分の映像音声情報を過去にさかのぼって再生することができるキャッシュ録再がある。
【００５０】
そのキャッシュ録再は、記録した直後の映像を再生するようにして行い、通常は記録直後の再生映像をリアルタイム画像として視聴し、視聴者の操作によるリアルタイム映像から過去に記録した映像に連続的にタイムシフトしながら再生する機能である。
【００５１】
ここで、そのリアルタイム画像として再生される状態をライブ状態と呼ぶこととし、キャッシュ録再における再生動作はそのライブ状態と過去に記録した映像との間を連続的にスイープしながら行い、ライブ状態の映像から過去の映像への切り換えはスムーズに行われるようにしている。
【００５２】
即ち、仮にライブ状態の映像の代りに、ＭＰＥＧ−２のエンコード、デコード、及びハードディスクへの記録再生処理を行わない、装置への入力信号をそのまま用いることも考えられるが、そのような場合は入力信号とライブ状態の信号の間にＭＰＥＧ−２による符号化、復号、及びハードディスクへの記録再生における処理時間としての遅延時間差が生じることとなり、現在の映像（ライブ状態）から過去の映像にスムーズな移行を行なえない。
【００５３】
そのため、特にリアルタイム視聴状態から過去へ遡る再生を行うときの信号の切り換え時に時間的な不連続が生じ、一瞬映像が乱れる、あるいは絵柄がスキップするなどの様に表示され、現在から過去に対してスムーズな繋がりによる映像を表示することができなく、視聴者に不自然な感じを与えることとなる。
【００５４】
そこで、ハードディスクを用いる場合のキャッシュ録再では、記録を継続しながら短時間前に記録した映像を再生するため、簡単な操作により現在の映像から過去の映像までを連続的に再生することができるようになされており、このような再生機能はライブ状態の映像を現在の映像として再生することにより実現されている。
【００５５】
次に、このようなキャッシュ録再など、使い勝手のよい同時記録、再生機能を有する映像信号の記録再生装置における記録時の一時停止機能について述べる。
【００５６】
前述のように同時録再機能を有する映像信号記録再生装置では、記録した映像を再生により確認しつつ記録を行なうことができる、又記録中の映像を再度視聴する必要があるときに記録を継続しながら過去の映像を視聴できるなどの特徴を有している。
【００５７】
そしてその装置は、記録時に一時停止操作を行う場合においても、その記録一時停止解除操作を行うためなどに供給されるビデオ信号がモニタ信号として供給される必要がある。
【００５８】
しかし、同時録再機能により動作しているままの記録再生装置で、記録動作を一時停止すると、再生信号出力は一時停止操作時の画面でポーズ画面とされ、その後に供給される映像信号は供給されなくなる。
【００５９】
そこで、一時停止操作時においても供給される映像信号をモニタ出力として供給するため、一時停止操作がなされたときに同時記録再生信号に代えて装置に入力信号として供給される映像信号をモニタ信号として表示機に供給する方法はあるが、前述のように同時記録再生信号と装置に供給される映像信号との間には、例えば３秒間の時間差があり、その信号切り換え時に時間的に不連続な映像信号が表示されることとなり、好ましくない。
【００６０】
そして、その時間的に不連続な映像信号として表示されるのを防ぐために、例えば装置に供給される映像信号を３秒間程度の遅延回路を介して表示する方法があるが、その場合は遅延時間差により生じる断続的な映像の表示は防止できる。
【００６１】
しかし、その遅延された映像信号をモニタしながら記録一時停止の解除操作が行われるときは、既に遅延時間分（３秒間程度）の記録すべき映像信号が供給された後であるため、記録媒体には遅延時間分の映像信号が記録されないこととなり、好ましくない。
【００６２】
このようにして、同時記録再生モードでモニタ映像を表示しながら記録動作の一時停止操作を行う場合であっても、記録媒体には装置に供給される映像信号の記録を継続して行う必要がある。
【００６３】
そして、一時停止操作中であっても記録媒体に映像信号を記録しつづけることは、限られた容量の記録媒体に不要な映像信号を記録することとなるので、記録動作終了後、一時停止操作された区間の映像信号を消去し、記録媒体の有効活用を図るようにする。
【００６４】
次に、セクター等により領域が管理されて記録動作を行うハードディスク６３に、ＭＰＥＧ−２エンコーダ５３により生成されたビットストリームを、一時停止機能を有して記録する場合の動作について述べる。
図３は、セクタ構成とされる記録媒体に、ＭＰＥＧ−２により符号化されたＧＯＰの信号を記録する例について示したものである。
【００６５】
同図において、（１）はハードディスクのセクタ領域を番号で示し、（２）はＭＰＥＧ−２で符号化されたＧＯＰ信号を番号で示し、（３）は（１）のセクタ領域に（２）のＧＯＰ信号を記録した状態を位置関係で示したものである。
【００６６】
このようにして、ハードディスクには容量が一定であるセクタ構造の記録エリアに、可変長符号化されたそれぞれでデータ量が異なるＧＯＰ信号の記録がなされる。
【００６７】
この例では、連続して存在するクラスタに、ＧＯＰのデータが連続して記録されており、その記録されたＧＯＰデータの再生は、そのＧＯＰの記録されるクラスタ番号をディスク管理情報を基にアクセスし、次にそのクラスタに記録される目的のＧＯＰデータを再生し、映像信号を得るようにしている。
【００６８】
次に、このようにして記録、再生されるＧＯＰデータに対する記録一時停止の動作について述べる。
図４は、ＧＯＰデータで構成される映像信号に対してなされる記録一時停止動作を模式的に示したものである。
【００６９】
同図において、（４）ポーズ位置設定は、上述の（２）ＧＯＰ信号に対して記録一時停止操作（ポーズ設定）のなされた時点▲１▼、及びその設定解除（ポーズ解除）のなされた時点を例示している。
【００７０】
即ち、ポーズ設定は第２０１番目のＧＯＰデータに、又ポーズ解除は第２１０番目のデータにされている。
このとき、それらのデータの間に存在する２０２番目から２０９番目のＧＯＰデータはハードディスク６３に保存が必要とされないデータであり、記録動作終了時点で消去することとする。
【００７１】
そのデータ消去は、第１０１番目のクラスタ（以下クラスタ１０１と記す）部の第２０２ＧＯＰデータ（以下ＧＯＰ２０２と記す）は空きとされ、ＧＯＰ２０３の記録されるクラスタ１０２以降のクラスタは消去状態とされ、必要に応じて他の記録データが書き込めるようにする。
【００７２】
同様にして、クラスタ１０６上のＧＯＰ２０９の記録されていた位置は空きとされ、クラスタ１０５以前は消去状態とされる。
このようにしてクラスタ１０２からクラスタ１０５は消去状態とされるが、そのような新しいデータが記録可能であるクラスタの情報はディスク管理情報に格納される。
【００７３】
このようにして記録されたＧＯＰデータの再生は、（５）再生データ配置に基づいて行われる。即ち、クラスタ２００以前のデータはクラスタ１０１のＧＯＰ２０１のポーズ設定点▲１▼まで行われ、それに続く映像のＧＯＰデータはクラスタ１０６が書き込み読み出し制御器６５によりサーチされ、ＧＯＰ２１０のデータが読み出され、再生された映像のポーズ解除位置▲２▼の時点より再開される。
【００７４】
このとき、設定点▲１▼の映像に続く設定点▲２▼の映像再生までの間は上述の操作がなされているが、その操作期間のために映像が中断されるのは好ましくなく、実際の動作は、バッファメモリ７１に蓄えられるＧＯＰ２０１の映像の再生が終了する以前にポーズ解除▲２▼の時点の映像を再生するようにしてなされ、時点▲１▼と▲２▼の間に待ち時間が生じないようにされている。
【００７５】
このようにしてポーズ解除時点▲２▼以降のデータは再生されるが、そのＧＯＰ２１０の最初の部分はその手前の部分が空きとなっているため不連続なデータであり、ＧＯＰ２１０の最初の部分▲３▼には不連続マークを付加する必要がある。
【００７６】
即ち、その不連続マークは、ハードディスクに記録されるデータが、ハードディスク媒体上のデフェクト等に関り途中から記録されたデータではないので、記録データに不連続マークを付加することにより、例えばハードディスク再生時に生じるＰＴＭ（pulse time modulation）の不連続等に起因するＧＯＰデータの復号障害等を未然に防ぐようにするものである。
【００７７】
このようにして、ＧＯＰ２１０の映像データはＧＯＰ２０１の最初の部分に記録されるＩフレームより読み出しが開始され、ＭＰＥＧ−２デコーダ７２により正常に復号され、ポーズ解除点▲２▼より正常な映像信号が得られることとなる。
【００７８】
そのためのＧＯＰ番号の管理は、リモコンインタフェース７９からの操作信号はマイコン５７に供給され、マイコン５７はヘッダ検出器５６より供給されるＧＯＰの番号情報と照合し、照合されるヘッダ番号を得ると共に、その信号が記録されるハードディスクのセクタ番号情報はハードディスク６３より読み出され、ハードディスク記録再生器６１を介して一時記憶メモリ５８に一時記憶される番号情報より得て、これらの得られたセクタ番号情報、及びＧＯＰ番号情報はマイコン５７によりディスク管理情報として生成されて、ハードディスク６３の図示しないディスク管理情報記録領域に記録されるようになされている。
【００７９】
以上、ポーズ開始位置▲１▼が設定され、ポーズ解除▲２▼が設定される場合の記録、及び再生動作について述べたが、視聴者により行われるポーズ設定に対するポーズ解除設定▲２▼の操作がなされない場合もある。
【００８０】
そのときは、マイコン５７は記録データ消去のための動作を継続しているが、その動作継続により記録したデータの後半部全てが消去されるような好ましくない動作がなされることもある。
【００８１】
通常なされる記録動作の停止時間は、例えばＣＭ（commercial message）が連続して受信される数分間であり、例えば５分間を所定の時間として設定し、その所定時間経過後にポーズ解除操作がなされないときは、リモコンインタフェース７９、ないしはマイコン５７にタイマ機能を持たせ、その時点でポーズ解除信号を生成するようにする。
【００８２】
このようにして、ポーズ操作、及びポーズ解除の操作がなされて記録された符号化データは、記録終了後、又は記録再生装置の電源が断とされ、再投入されたときに、上記ディスク管理情報を基にハードディスク６３に記録されるＧＯＰデータは消去され、消去された部分には新しい映像信号等の記録がされるようになされる。
【００８３】
その新しい記録は、クラスタ単位でなされるため、クラスタ領域内におけるＧＯＰデータが空とされる部分は空き状態のままであるが、ポーズ設定位置、及びポーズ解除位置の指定が正確になされるため、上述のような動作により、ポーズ部の飛び越し再生時間を「０」とすることが可能となる。
【００８４】
この例に示したような記録一時停止動作によれば、記録一時停止期間中であってもハードディスクに記録して再生した映像信号をモニタできるため記録状態の画質をチェックできると共に、遅延して再生されるモニタ映像を視聴しながらでもポーズ位置、及びその解除位置を指定できるため、正確な位置指定ができ、又記録終了後にポーズ動作該当部分の映像信号を消去するためハードディスクの記録領域を無駄にせず、効率的な記録領域の使用ができる。
【００８５】
以上、ポーズ機能を有し、記録媒体の利用効率が高い映像信号の同時記録、再生を行う映像信号の記録再生方法、及び映像信号記録再生装置の構成とその動作について述べたが、その映像信号記録装置４０を、記録部５０と媒体部６０より構成される映像信号記録装置として、また再生部７０を映像信号再生装置として構成する方法がある。
【００８６】
そして、それらの映像信号記録装置と映像信号再生装置は異なる場所に設置し、それらの離れた場所に設置される装置はホームネットワークなどにより結合して動作させることができる。
【００８７】
そのときの映像信号記録装置はホームサーバーとされて家庭内に設置され、そのホームサーバーに映像信号再生装置がホームネットワークで接続され、その映像信号再生装置がモニタテレビの設置される部屋ごとに、複数のセットトップボックスとして設置されるものである。
【００８８】
この場合、そのホームサーバーはビットストリーム送出装置として、セットトップボックスはビットストリーム受信端末として構成され、両者は高速無線ＬＡＮ、あるいはホームＬＡＮなどにより結合され、双方向通信を行いながらハードディスクに記録される映像信号情報が各部屋からの操作命令により、目的とするビットストリームの記録、及び再生を使用者の操作するセットトップボックスを介して行い、供給される映像信号をモニタＴＶにより視聴するようにする。
【００８９】
このように、離れた場所に送信端末と受信端末としての記録装置と再生部を設置し、通信手段で結合して動作させる場合は、複数の送信端末と、複数の受信端末がネットワークで結合されて動作させるネットワーク形映像システムを構成することも可能である。
【００９０】
さらに、媒体部に用いられる記録媒体はハードディスクを中心として述べたが、記録媒体は高速アクセスが可能な媒体、例えば光磁気ディスク、ＲＡＭ形、又はＲＷ形のＤＶＤ、そして半導体メモリ形記録媒体等の他の記録媒体を用いた装置にも適用できる。
【００９１】
また、映像信号の符号化方式はＭＰＥＧ−２方式を例として述べたが、圧縮符号化の方法はこれに限らず、俗にモーションＪＰＥＧと呼ばれるフレーム内符号化による方法、あるいはＭＰＥＧ−４方式、ＭＰＥＧ−７方式、これから規格化の開始されるＭＰＥＧ−２１方式、その他フラクタルの圧縮手法を用いるものなど、圧縮符号化、及び復号に処理による遅延時間が生じる場合などは、前述の技術を応用した映像信号の記録再生装置を構成することができる。
【００９２】
【発明の効果】
本発明の映像信号記録再生装置によれば、供給される映像信号を圧縮符号化してランダムアクセス可能な記録媒体に記録するのと同時に、前記記録媒体に記録された前記映像信号を遅延して再生する記録再生手段と、視聴者からの操作に基づき前記記録再生手段による前記映像信号の記録の一時停止を指示する記録一時停止信号を生成すると共に、その後、前記記録再生手段による前記映像信号の記録の一時停止の解除を指示する一時停止解除信号を生成する操作信号生成手段と、前記記録再生手段が前記映像信号を記録および遅延して再生している際、前記記録一時停止信号が生成された場合、前記記録再生手段に対し前記映像信号の記録および遅延しての再生を継続させ、その後、前記一時停止解除信号が生成された場合、前記記録再生手段に対し前記記録媒体に記録されている前記映像信号より、前記記録一時停止信号が生成された時に遅延して再生されていた前記映像信号から前記一時停止解除信号が生成された時に遅延して再生されていた前記映像信号までを消去させるように制御する制御手段と、を有するようにしたため、記録動作中は記録一時停止中であっても記録媒体に記録して再生した符号化映像信号をモニタできるため記録状態の画質を確認できると共に、符号化及び復号等で遅延して再生されるモニタ映像に対しても記録一時停止位置、及びその解除位置を正確に指定でき、しかも記録終了後に記録一時停止該当部分の映像信号を消去するため記録媒体の記録領域を有効に利用できる映像信号の記録再生方法を提供することができる効果がある。
【００９３】
また、本発明の映像信号記録再生装置によれば、前記操作信号生成手段は、前記視聴者による一時停止操作に基づき前記記録一時停止信号を生成し、前記視聴者による一時停止操作の後、所定時間経過したときに前記一時停止解除信号を生成するようにしたため、誤って記録一時停止の設定後に記録した記録内容の後半部全てを消去してしまうような動作を防止すると共に記録状態の画質が常に確認でき、正確な記録一時停止開始位置が指定でき、しかも記録終了後に所定時間分の映像信号を消去することにより記録媒体の記録領域を有効に利用できる映像信号の記録再生方法を提供することができる効果がある。
【００９５】
また、さらに、前記記録再生部によって記録および遅延しての再生が行われている前記映像信号を出力するモニタが接続されているようにしたため、記録動作中は記録一時停止中であっても記録媒体に記録して再生した符号化映像信号をモニタできるため記録状態の画質を確認できると共に、符号化及び復号等で遅延して再生されるモニタ映像に対しても記録一時停止位置、及びその解除位置を正確に指定でき、しかも記録終了後に記録一時停止該当部分の映像信号を消去するため記録媒体の記録領域を有効に利用できる映像信号の記録再生方法を提供することができる効果がある。
【００９６】
また、本発明の映像信号の記録再生方法は、供給される映像信号を圧縮符号化してランダムアクセス可能な記録媒体に記録するのと同時に、前記記録媒体に記録された前記映像信号を遅延して再生する映像信号の記録再生方法であって、前記映像信号を記録および遅延して再生している際、視聴者からの操作に基づき前記映像信号の記録の一時停止を指示する記録一時停止信号が生成された場合、前記映像信号の記録および遅延しての再生を継続させ、その後、視聴者からの操作に基づき前記映像信号の記録の一時停止の解除を指示する一時停止解除信号が生成された場合、前記記録媒体に記録されている前記映像信号より、前記記録一時停止信号が生成された時に遅延して再生されていた前記映像信号から前記一時停止解除信号が生成された時に遅延して再生されていた前記映像信号までを消去させるようにしたため、記録動作中は記録一時停止中であっても記録媒体に記録して再生した符号化映像信号をモニタできるため記録状態の画質を確認できると共に、符号化及び復号等で遅延して再生されるモニタ映像に対しても記録一時停止位置、及びその解除位置を正確に指定でき、しかも記録終了後に記録一時停止該当部分の映像信号を消去するため記録媒体の記録領域を有効に利用できる映像信号の記録再生方法を提供することができる効果がある。
【００９７】
また、本発明の映像信号の記録再生方法は、視聴者による一時停止操作に基づき前記記録一時停止信号を生成し、前記視聴者による一時停止操作の後、所定時間経過したときに前記一時停止解除信号を生成するようにしたため、誤って記録一時停止の設定後に記録した記録内容の後半部全てを消去してしまうような動作を防止すると共に記録状態の画質が常に確認でき、正確な記録一時停止開始位置が指定でき、しかも記録終了後に所定時間分の映像信号を消去することにより記録媒体の記録領域を有効に利用できる映像信号の記録再生方法を提供することができる効果がある。
【図面の簡単な説明】
【図１】本発明の実施例に係る映像信号記録再生装置の概略ブロック図である。
【図２】ＭＰＥＧ−２方式により動き補償がなされて符号化されるフレーム信号の構造を示した図である。
【図３】セクタ構成とされる記録媒体に、ＭＰＥＧ−２により符号化されたＧＯＰの信号を記録する例について示し図である。
【図４】本発明の実施例に係るＧＯＰデータで構成される映像信号に対してなされる記録一時停止動作を模式的に示した図である。
【符号の説明】
４０  映像信号記録再生装置
５０  記録部
５１  ＴＶチューナ
５２  Ａ／Ｄ変換器
５３  ＭＰＥＧ−２エンコーダ
５４  ストリームアナライザ
５５  ＲＥＣ−ＦＩＦＯ
５６  ヘッダ検出器
５７  マイコン
５８  一時記憶メモリ
６０  媒体部
６１  ハードディスク記録再生器
６３  ハードディスク
６５  書き込み読み出し制御器
７０  再生部
７１  バッファメモリ
７２  ＭＰＥＧ−２デコーダ
７３  ＯＳＤ
７４  Ｄ／Ａ変換器
７６  マイコン
７８  一時記憶メモリ
７９  リモコンインタフェース
９０  モニタＴＶ
９５  リモコン
【図１】
0003838023.tif 000002
【図２】
0003838023.tif 000003
【図３】
0003838023.tif 000004
【図４】
0003838023.tif 000005